(57)【特許請求の範囲】
【請求項１】
薄膜状の長尺物が巻かれた巻回体を収容することができる容器において、
底面板、前面板、後面板および一対の側面板を含み、上面が開口された本体部であって、前記巻回体を収容することができる本体部と、
前記本体部の前記後面板の上縁に回動可能に連結され、前記本体部の開口を塞ぐことができる蓋部と、を備え、
前記蓋部は、前記蓋部が前記本体部の前記開口を塞いでいるときに前記本体部の前記前面板と少なくとも部分的に重なる蓋前面板を有し、
前記本体部の前記前面板には、前記巻回体から引き出された前記長尺物を前記蓋前面板との間で挟むことができるよう構成されたフラップが設けられており、
前記フラップは、前記本体部の開口が塞がれているときに前記長尺物の幅の中央に対応する前記蓋前面板の部分を前記本体部の前記前面板に向けて押したときに前記蓋前面板と前記前面板とが接する範囲を中央領域とする場合、前記一対の側面板のうちの一方である第１側面板と前記中央領域との間に設けられた第１フラップと、前記第１側面板に対向する第２側面板と前記中央領域との間に設けられた第２フラップと、を含み、
前記第１フラップおよび前記第２フラップは各々、前記本体部の前記前面板の一部分を切り起こすことにより形成されており、
前記前面板の上縁には、当該上縁を罫線として前記前面板の内面に沿うように折り込まれた補強板が連結されており、
前記補強板の外面には、前記蓋部が前記本体部の前記開口を塞いでいるときに前記第１フラップの内面および前記第２フラップの内面と向かい合う凸領域が形成されている、または、前記第１フラップの内面および前記第２フラップの内面には、前記蓋部が前記本体部の前記開口を塞いでいるときに前記補強板の外面と向かい合う凸領域が形成されており、
前記凸領域は、エンボス加工による複数の凸部を含み、
前記凸部は前記補強板の外面のうち前記第１フラップの隅部および前記第２フラップの隅部に対応する部分に少なくとも形成されている、若しくは、前記第１フラップの内面および前記第２フラップの内面のうち前記第１フラップの隅部および前記第２フラップの隅部に少なくとも形成されている、容器。
【請求項２】
前記本体部の前記補強板には、前記容器内に延びることができる押さえ板が設けられており、
前記押さえ板は、前記第１フラップと少なくとも部分的に重なる第１押さえ板と、前記第２フラップと少なくとも部分的に重なる第２押さえ板と、を有し、
前記第１押さえ板および前記第２押さえ板は各々、前記本体部の前記補強板の一部分を切り起こすことにより形成されている、請求項１に記載の容器。
【請求項３】
前記第１押さえ板は、前記第１押さえ板の全体が前記第１フラップと重なるよう構成されており、
前記第２押さえ板は、前記第２押さえ板の全体が前記第２フラップと重なるよう構成されている、請求項２に記載の容器。
【請求項４】
前記第１フラップ、前記第２フラップ、前記第１押さえ板および前記第２押さえ板の各々が、前記本体部の前記前面板の上縁を回転軸として回動することができる、請求項２または３に記載の容器。
【請求項５】
前記蓋部が前記本体部の前記開口を塞いでいるとき、前記第１フラップの輪郭および前記第２フラップの輪郭は各々、全域にわたって、前記第１フラップおよび前記第２フラップが切り起こされた後の前記前面板に沿って延びている、請求項１乃至３のいずれか一項に記載の容器。
【請求項６】
前記第１フラップの輪郭および前記第２フラップの輪郭は各々、滑らかな曲線状の形状を有している、請求項１乃至５のいずれか一項に記載の容器。
【請求項７】
請求項１乃至請求項６のいずれか一項に記載の容器と、
前記容器に収容された巻回体と、を備える巻回体入り容器。
【発明の詳細な説明】
【技術分野】
【０００１】
本発明は、薄膜状の長尺物が巻かれた巻回体を収容することができる容器、および巻回体入り容器に関し、とりわけ、長尺物を適切に切断することができる容器および巻回体入り容器に関する。
【背景技術】
【０００２】
食材や料理あるいは皿などの食器を料理ごと包むことができる薄膜状の長尺物、例えば食品用ラップフィルムが、広く用いられている。食品用ラップフィルム（以下、単にフィルムとも称する）は、典型的には、ロール状に巻かれた巻回体の状態で、直方体の容器に収容されている。容器は、一般には、底面板、前面板、後面板および一対の側面板を含み、上面が開口された本体部であって、巻回体を収容することができる本体部と、本体部の後面板の上縁に回動可能に連結され、本体部の開口を塞ぐことができる蓋部と、を備えている。また蓋部には、収容されているフィルムを巻回体から必要量だけ引き出した後、フィルムを切断することができる切断刃が取り付けられている。
【０００３】
切断刃の構造として、巻回体の軸方向に延びる直線状をなす構造と、巻回体の軸方向における中央が頂点になるＶ字状をなす構造とが一般に知られている。Ｖ字状の切断刃を用いてフィルムを切断する場合、一方の手でフィルムの先端を摘んでフィルムを巻回体から必要量だけ引き出し、他方の手で容器の長手方向中央部を持って蓋部を閉める。このとき、他方の手で蓋部の蓋前面板を容器の本体部側に押し、これによって、フィルムを蓋部の蓋前面板と本体部との間で挟み、この間に、引き出されたフィルムに切断刃を食い込ませるように容器をひねる。このようにして、フィルムを切断することができる（例えば、特許文献１参照）。
【先行技術文献】
【特許文献】
【０００４】
【特許文献１】特開２００２−２７４５３４号公報
【発明の概要】
【発明が解決しようとする課題】
【０００５】
Ｖ字状の切断刃を用いてフィルムを切断する場合、容器の長手方向中央部においては、容器を持つ手によってフィルムが押さえられる。しかしながら、容器の長手方向両端部においては、容器の長手方向中央部が押されることに起因して、本体部と蓋部との間に隙間が形成されてしまうことがある。このような隙間が形成されると、容器の長手方向両端部においてフィルムを適切に押さえることができず、この結果、フィルムを切断しようとする力が、フィルムが巻回体から引き出される方向に作用してしまい、このため適切にフィルムを切断することができないことが考えられる。
【０００６】
本発明は、このような課題を効果的に解決し得る容器および巻回体入り容器を提供することを目的とする。
【課題を解決するための手段】
【０００７】
本発明は、薄膜状の長尺物が巻かれた巻回体を収容することができる容器において、底面板、前面板、後面板および一対の側面板を含み、上面が開口された本体部であって、前記巻回体を収容することができる本体部と、前記本体部の前記後面板の上縁に回動可能に連結され、前記本体部の開口を塞ぐことができる蓋部と、を備え、前記蓋部は、前記蓋部が前記本体部の前記開口を塞いでいるときに前記本体部の前記前面板と少なくとも部分的に重なる蓋前面板を有し、前記本体部の前記前面板には、前記巻回体から引き出された前記長尺物を前記蓋前面板との間で挟むことができるよう構成されたフラップが設けられており、前記フラップは、前記本体部の開口が塞がれているときに前記長尺物の幅の中央に対応する前記蓋前面板の部分を前記本体部の前記前面板に向けて押したときに前記蓋前面板と前記前面板とが接する範囲を中央領域とする場合、前記一対の側面板のうちの一方である第１側面板と前記中央領域との間に設けられた第１フラップと、前記第１側面板に対向する第２側面板と前記中央領域との間に設けられた第２フラップと、を含み、前記第１フラップおよび前記第２フラップは各々、前記本体部の前記前面板の一部分を切り起こすことにより形成されており、前記前面板の上縁には、当該上縁を罫線として前記前面板の内面に沿うように折り込まれた補強板が連結されており、前記補強板の外面には、前記蓋部が前記本体部の前記開口を塞いでいるときに前記第１フラップの内面および前記第２フラップの内面と向かい合う凸領域が形成されている、または、前記第１フラップの内面および前記第２フラップの内面には、前記蓋部が前記本体部の前記開口を塞いでいるときに前記補強板の外面と向かい合う凸領域が形成されており、前記凸領域は、エンボス加工による複数の凸部を含み、前記凸部は前記補強板の外面のうち前記第１フラップの隅部および前記第２フラップの隅部に対応する部分に少なくとも形成されている、若しくは、前記第１フラップの内面および前記第２フラップの内面のうち前記第１フラップの隅部および前記第２フラップの隅部に少なくとも形成されている、容器である。
【００１０】
本発明による容器において、前記本体部の前記補強板には、前記容器内に延びることができる押さえ板が設けられていてもよい。前記押さえ板は、前記第１フラップと少なくとも部分的に重なる第１押さえ板と、前記第２フラップと少なくとも部分的に重なる第２押さえ板と、を有し、前記第１押さえ板および前記第２押さえ板は各々、前記本体部の前記補強板の一部分を切り起こすことにより形成されていてもよい。
【００１１】
本発明による容器において、前記第１押さえ板は、前記第１押さえ板の全体が前記第１フラップと重なるよう構成されており、前記第２押さえ板は、前記第２押さえ板の全体が前記第２フラップと重なるよう構成されていてもよい。
【００１２】
本発明による容器において、前記第１フラップ、前記第２フラップ、前記第１押さえ板および前記第２押さえ板の各々が、前記本体部の前記前面板の上縁を回転軸として回動することができるようになっていてもよい。
【００１３】
本発明による容器において、前記蓋部が前記本体部の前記開口を塞いでいるとき、前記第１フラップの輪郭および前記第２フラップの輪郭は各々、全域にわたって、前記第１フラップおよび前記第２フラップが切り起こされた後の前記前面板に沿って延びていてもよい。
【００１４】
本発明による容器において、前記第１フラップの輪郭および前記第２フラップの輪郭は各々、滑らかな曲線状の形状を有していてもよい。
【００１５】
本発明は、上記記載の容器と、前記容器に収容された巻回体と、を備える巻回体入り容器である。
【発明の効果】
【００１６】
本発明によれば、本体部と蓋部との間でフィルムを適切に押さえることができ、これによって、適切にフィルムを切断することができる。
【図面の簡単な説明】
【００１７】
【図１Ａ】図１Ａは、本発明の一実施の形態による、巻回体が収容されている容器を示す斜視図。
【図１Ｂ】図１Ｂは、図１Ａに示す容器の本体部のフラップ近傍を拡大して示す断面図。
【図１Ｃ】図１Ｃは、図１Ａに示す容器の本体部のフラップ近傍を拡大して示す斜視図。
【図２】図２は、本発明の一実施の形態による容器の正面図。
【図３】図３は、図２に示す容器からフラップを取り除いた状態を示す図。
【図４】図４は、容器を作製するための板紙の一例を示す図。
【図５】図５は、補強板に形成される凸領域の変形例を示す正面図であって、図２と同様に容器からフラップを取り除いた状態を示す正面図である。
【図６】図６は、前面板に形成される切目線の変形例を示す正面図。
【図７】図７は、前面板に設けられるフラップの変形例を示す正面図。
【発明を実施するための形態】
【００１８】
以下、図１Ａ乃至図４を参照して、本発明の実施の形態について説明する。まず図１Ａにより、本実施の形態における容器１全体について説明する。なお、各図において互いに同一又は類似の部材には同一あるいは類似の符号を付し、重複した説明を省略する。
【００１９】
容器
図１Ａは、ラップロール（巻回体）入り容器１００を示す斜視図である。ラップロール９１ｒは、薄膜状の長尺物、例えばラップフィルム９１ｆが円筒状の巻芯にその軸線９１ａまわりで巻かれることにより得られるロール状のものである。以下の説明において、ラップロール９１ｒとラップフィルム９１ｆとの外観形状の区別をしない場合は、「ラップ９１」と総称する。ラップフィルム９１ｆは、例えば、ポリ塩化ビニリデンを原料として形成された、５〜２０μｍの厚みを有するフィルムである。容器１は、ラップロール９１ｒを収容することができる本体部１０と、本体部１０に回動自在に連結された蓋部２０と、を備えている。
【００２０】
（本体部）
本体部１０は、未使用のラップロール９１ｒを収容できる程度の大きさを有する直方体形状の箱であって、その細長い面の１つが開口されて開口面１０ｈとなっている箱である。本体部１０の大きさは、収容した未使用のラップロール９１ｒを軸線９１ａ回りに回転させるのを妨げない程度の隙間が形成される一方で、できるだけ小さく形成されている。例えば本体部１０は、幅４４ｍｍ、高さ４４ｍｍ、長さ３１０ｍｍの大きさで形成されている。本体部１０は、開口面１０ｈとともに直方体の長手方向に延びる側面を構成する前面板１２、底面板１３、後面板１４と、直方体の端面を構成する一対の側面板１５と、を有している。底面板１３は、開口面１０ｈに対向している。前面板１２及び後面板１４は、開口面１０ｈ及び底面板１３に直交している。側面板１５は、典型的には正方形に形成されているが、縦横の長さが異なる矩形であってもよい。以下の説明においては、水平な面に底面板１３が載置された状態を基準として、底面板１３側を下、開口面１０ｈ側を上として説明する場合もある。
【００２１】
側面板１５の上縁の中央部分には、３ｍｍ程度上方に延びた小片が外側に折り返されて形成された突起部１５ｐが設けられている。また、前面板１２の上縁１９には、当該上縁１９を罫線（折目線）３１ｒとして前面板１２の内面に沿うように折り込まれた補強板３１が連結されている（図１Ｂ、図４参照）。補強板３１は、前面板１２と略同じ大きさであるが底面板１３とは接していない。補強板３１の下縁は、補強板３１の長手方向に沿って前面板１２の内面に接着されている。
【００２２】
補強板３１には、補強板３１の側縁３１ｂ近傍において補強板３１に形成された折目線１７ｒを介して、固定片１７が連結されている。この固定片１７は、ラップロール９１ｒに上方から接することによって、ラップロール９１ｒが外に飛び出すことを防止するための部材である。ここで「補強板３１の側縁３１ｂ近傍」とは、ラップロール９１ｒから引き出されるラップフィルム９１ｆの進路が固定片１７によって多大に阻害されることがないよう、折目線１７ｒの位置が決定されることを意味している。
【００２３】
（蓋部）
蓋部２０は、本体部１０の後面板１４の上縁１８に連結され、本体部１０の開口面１０ｈを塞ぐことができる部材である。蓋部２０は、蓋上面板２１と、蓋前面板２２と、切断刃２３と、蓋側面板２５とを有している。蓋部２０は、本体部１０の後面板１４の上縁１８を回転軸として本体部１０に対して回動することができるように構成されている。
【００２４】
蓋前面板２２は、折目線２２ｒを介して蓋上面板２１と直交し、蓋部２０を閉じたときに底面板１３に向かって延びるように設けられている。このため蓋前面板２２は、蓋部２０が本体部１０の開口面１０ｈを塞いでいるときに本体部１０の前面板１２と少なくとも部分的に重なることができる。蓋前面板２２は、ラップロール９１ｒの軸線９１ａが延びる方向（以下「軸線方向Ｄ」という。）の両端における高さ（長方形の前面板１２の短辺方向における蓋前面板２２の長さ）が、前面板１２の短辺方向の長さの約１／２で、軸線方向Ｄの中央部における高さが、前面板１２の短辺方向の長さの約３／４になるよう構成されている。折目線２２ｒに対向する先端部２２ｔは、軸線方向Ｄにおいて中央部から端部に向かうにつれて、折目線２２ｒと先端部２２ｔとの間の距離が短くなるように構成されている。このため、折目線２２ｒに対向する先端部２２ｔは、Ｖ字状の形状を有している。蓋前面板２２は、蓋部２０が閉じられたときに、前面板１２に沿って前面板１２の外面に重なり、前面板１２の上部を五角形状に覆うこととなる。蓋前面板２２は、本体部１０に収容されているラップロール９１ｒから引き出されたラップフィルム９１ｆを、その幅全体にわたって、前面板１２との間に挟むことができるように構成されている。蓋前面板２２の先端部２２ｔには、ラップフィルム９１ｆを切断するための切断刃２３が取り付けられている。切断刃２３は、刃先が先端部２２ｔから突出するよう、先端部２２ｔに沿ってＶ字状に設けられている。
【００２５】
蓋側面板２５は、蓋上面板２１及び蓋前面板２２の双方に直交するよう設けられている。蓋側面板２５は、蓋上面板２１の両端にそれぞれ連結されている。また蓋前面板２２の両端には接合片２２ｊが連結されており、この接合片２２ｊが蓋側面板２５の内面に対して接着剤などによって固定されている。なお接合片２２ｊは、蓋側面板２５よりも小さい面積を有するよう構成されており、このため蓋側面板２５の内側には、接合片２２ｊの厚みに起因する段部２５ｄが形成されている。段部２５ｄは、蓋部２０を閉じたときに、側面板１５の上縁に設けられた突起部１５ｐが嵌るよう構成されている。
【００２６】
本体部１０及び蓋部２０は、例えば、約０．４５ｍｍ〜０．７ｍｍ厚のコートボール紙を加工することにより形成されている。このため、容器１は、所定の弾性を有している。なお、本実施の形態では、説明の便宜上、本体部１０と蓋部２０とを機能の観点から区別している。しかしながら、本体部１０及び蓋部２０は一般に、はじめに１枚の原紙を切り出して板紙を形成し、次に折り曲げなどによって板紙５０を成形することによって作製される。すなわち本体部１０及び蓋部２０は、一体的に形成されている。
【００２７】
（フラップ）
図１Ａに示すように、本体部１０の前面板１２には、ラップロール９１ｒから引き出されたラップフィルム９１ｆを蓋部２０の蓋前面板２２との間で挟むことができるよう構成されたフラップ１２ｆが設けられている。以下、フラップ１２ｆについて、図１Ｂ〜図３を参照して詳細に説明する。
【００２８】
図１Ｂおよび図１Ｃは、容器１のフラップ１２ｆ近傍を拡大して示す断面図および斜視図である。また図２は、容器１を示す正面図である。フラップ１２ｆは、本実施の形態では、前面板１２の上部の中央に位置する中央領域１２ｔを挟むように、前面板１２の上縁１９に沿って中央領域１２ｔの両側に設けられている。ここで「中央領域１２ｔ」とは、蓋部２０を閉じた状態で蓋前面板２２の図心（先端部２２ｔのＶ字の頂点付近における蓋前面板２２の一部分）を前面板１２に向けて押したときに、蓋前面板２２が接する前面板１２の一部分である。なお容器１は弾性を有するため、蓋前面板２２を前面板１２に向けて押す力の大きさに応じて、蓋前面板２２と前面板１２とが接する範囲が変化しうる。従って、中央領域１２ｔを画定するに際しては、未使用のラップロール９１ｒが本体部１０に収容された状態で蓋前面板２２の図心を前面板１２に向けて押したときに、前面板１２が本体部１０内のラップロール９１ｒに止められて後面板１４側に移動しなくなったときの、蓋前面板２２が接する前面板１２の部分を中央領域１２ｔとする。
【００２９】
中央領域１２ｔを挟んで２つ設けられたフラップ１２ｆについて、説明の便宜上、正面視（図２参照）において、中央領域１２ｔの左側のフラップ１２ｆを左フラップ１２ｆＡ（第１フラップ）と称し、中央領域１２ｔの右側のフラップ１２ｆを右フラップ１２ｆＢ（第２フラップ）と称する。以下、左フラップ１２ｆＡ及び右フラップ１２ｆＢに共通の構成について説明するときは、単に「フラップ１２ｆ」と総称することもある。また、左フラップ１２ｆＡに近い側面板１５を左側面板１５Ａ（第１側面板）と称し、右フラップ１２ｆＢに近い側面板１５を右側面板１５Ｂ（第２側面板）と称することもある。側面板１５は左側面板１５Ａおよび右側面板１５Ｂの総称である。
【００３０】
本実施の形態において、左フラップ１２ｆＡは、前面板１２の面内に形成された切目線に沿って前面板１２の一部分を切り起こすことによって形成されている。また、左フラップ１２ｆＡを切り起こすために前面板１２に形成される切目線は、前面板１２の上縁１９に到達するまで、若しくは上縁１９の近傍まで延びている。この場合、左フラップ１２ｆＡは、前面板１２の上縁１９を上縁として回動することができる。
【００３１】
図２において、左フラップ１２ｆＡの輪郭のうち上縁１９よりも下方に位置する輪郭が符号１２ｆＡｃによって表されている。また図２において、左フラップ１２ｆＡが切り起こされた後の前面板１２に残っている切目線が符号１２ｃＡで表されている。図２に示すように、左フラップ１２ｆＡの輪郭１２ｆＡｃは、全域にわたって、左フラップ１２ｆＡが切り起こされた後の前面板１２に沿って、すなわち前面板１２に残っている切目線１２ｃＡに沿って延びている。
【００３２】
切目線１２ｃＡは、前面板１２の一部を切断する線である。切目線１２ｃＡは、中央領域１２ｔよりも左側面板１５Ａ寄りの中央領域１２ｔに近接した上縁１９上の点１２ｃＡＮから、前面板１２の面内を通り、左側面板１５Ａに近い上縁１９上の点１２ｃＡＳに至るように、前面板１２の面内が切断されることで形成されている。点１２ｃＡＮは、引き出されたラップフィルム９１ｆの切断時に、ラップフィルム９１ｆの切り口が許容できない程度に乱れるようなラップフィルム９１ｆの滑りが生じない程度、中央領域１２ｔの近傍に位置している。図２に示す例において、点１２ｃＡＳは、引き出されたラップフィルム９１ｆの左端よりもやや中央領域１２ｔ寄りに位置している。しかしながら、これに限られることはなく、点１２ｃＡＳは、ラップフィルム９１ｆの左端と左側面板１５Ａとの間に位置していてもよい。「ラップフィルム９１ｆの左端よりもやや中央領域１２ｔ寄り」とは、ラップフィルム９１ｆの切断時にラップフィルム９１ｆがたるまずに切断可能な程度にラップフィルム９１ｆを左フラップ１２ｆＡと蓋前面板２２とで挟むことができるよう点１２ｃＡＳの位置が決定されている状態のことを意味している。
【００３３】
左フラップ１２ｆＡの左端がラップフィルム９１ｆの左端よりも中央領域１２ｔ寄りに形成されていると、軸線方向Ｄにおける前面板１２の側縁まわりでの本体部１０の強度の低下を抑制することができる。本実施の形態では、軸線方向Ｄにおいて、左フラップ１２ｆＡの左端が前面板１２の左側の側縁よりも１５ｍｍだけ中央領域１２ｔ寄りに形成されているが、これに限られることはなく、１０ｍｍあるいは５ｍｍだけ中央領域１２ｔ寄りに形成されていてもよい。左フラップ１２ｆＡの突出長さの最大値は、上下方向における前面板１２の長さの約１／２に設定されている。左フラップ１２ｆＡの下側（先端側）の辺によって構成される左フラップ１２ｆＡの輪郭１２ｆＡｃは、本実施の形態では、軸線方向Ｄの中央領域１２ｔ側から左側面板１５Ａ側に向かうときに、一旦上縁１９側に少し近づいた後に再び上縁１９から離れるような、意匠性に優れた、滑らかな曲線状の形状を有している。換言すると、左フラップ１２ｆＡは、その中央部分が両端部分よりも上縁１９側に凹んでいる。左フラップ１２ｆＡは、蓋部２０を閉じたときに蓋前面板２２に覆われて外面に表れない程度の大きさに形成されている。
【００３４】
一般に、左フラップ１２ｆＡの輪郭を構成する切目線１２ｃＡの両端１２ｃＡＮ、１２ｃＡＳと前面板１２の上縁１９との間の距離が短いほど、左フラップ１２ｆＡが補強板３１から離間する程度、すなわち浮く程度が大きくなる。また、両端１２ｃＡＮ、１２ｃＡＳが上縁１９に到達している場合、左フラップ１２ｆＡが浮く程度がさらに大きくなる。本実施の形態において、左フラップ１２ｆＡの輪郭を構成する切目線１２ｃＡの両端１２ｃＡＮ、１２ｃＡＳは、前面板１２の上縁１９に到達していてもよい。
【００３５】
左フラップ１２ｆＡの表面には、ラップフィルム９１ｆを係止するためのストッパー１２ｓが形成されていてもよい。ストッパー１２ｓは、例えば左フラップ１２ｆＡ上に塗布されたＵＶニスによって形成されている。図１Ｃに示すように、同様のストッパー１２ｓおよび１９ｓが、左フラップ１２ｆＡと左側面板１５Ａとの間において前面板１２上や前面板１２の上縁１９上に形成されていてもよい。
【００３６】
右フラップ１２ｆＢは、前面板１２を左右に二等分する仮想直線１２ｖを軸として、左フラップ１２ｆＡと線対称に形成されている。右フラップ１２ｆＢの点１２ｃＢＮ及び点１２ｃＢＳは、それぞれ左フラップ１２ｆＡの点１２ｃＡＮ及び点１２ｃＡＳに相当する。
【００３７】
ところで上述のように、フラップ１２ｆの輪郭は各々、フラップ１２ｆが切り起こされた後の前面板１２に沿って、すなわち前面板１２に残っている切目線１２ｃＡ，１２ｃＢに沿って延びている。この場合、本体部１０の開口面１０ｈが蓋部２０によって塞がれる際、フラップ１２ｆが前面板１２に嵌まり込むという現象が生じ得る。このような現象が生じることを防ぐため、図１Ｂに示すように、補強板３１の外面には、蓋部２０が閉じられている際にフラップ１２ｆの内面と向かい合う凸領域３２が形成されている。凸領域３２は、補強板３１の外面から外方に突出した凸部３２ａであって、フラップ１２ｆの内面に当接することができる凸部３２ａを含んでいる。これによって、フラップ１２ｆが前面板１２に嵌まり込むことを防ぐことができ、このことにより、安定にフラップ１２ｆを機能させることができる。なお「内面」とは、容器１に形成されている、巻回体を収容するための収容空間側を向いている面のことであり、「外面」とは、内面とは反対側の面、すなわち収容空間側を向く面とは反対側の面のことである。補強板３１については、使用者によって視認され得る露出面が、収容空間側を向く内面となっており、露出面とは反対側にある、フラップ１２ｆや前面板１２と対向する面が、外面となっている。
【００３８】
凸領域３２の凸部３２ａを形成する方法は特に限られることはなく、様々な方法が採用され得る。例えば、補強板３１の内面に対してエンボス加工を施すことにより、補強板３１の外面に凸部３２ａを形成することができる。この場合、図１Ｂに示すように、補強板３１の内面には凹部が形成されることになる。以下の説明および図において、これら凸部および凹部を同一の符号３２ａで表すこともある。
【００３９】
フラップ１２ｆが前面板１２に嵌まり込むことを防ぐことができる限りにおいて、凸領域３２の形状や配置が特に限られることはない。図３は、図２に示す容器１から、便宜上、フラップ１２ｆを取り除いた状態を示す図である。図３に示すように、軸線方向Ｄにおけるフラップ１２ｆのほぼ全域にわたってフラップ１２ｆに断続的に当接することができるよう、複数の凸部３２ａを含む凸領域３２が形成されていてもよい。
【００４０】
好ましくは、凸領域３２の凸部３２ａは、図２および図３に示すように、補強板３１の外面のうち左フラップ１２ｆＡの隅部１２ｆＮ，１２ｆＳおよび右フラップ１２ｆＢの隅部１２ｆＮ，１２ｆＳに対応する部分に少なくとも形成されている。これによって、フラップ１２ｆが前面板１２に嵌まり込むことを効果的に防ぐことができる。ここで隅部１２ｆＮ，１２ｆＳとは、フラップ１２ｆのうちその輪郭が大きく屈曲している部分のことである。図２に示す例において、隅部１２ｆＮ，１２ｆＳは、フラップ１２ｆのうち上縁１９から遠ざかるように延びる部分と上縁１９にほぼ沿って延びる部分との間の部分となっている。本実施の形態において、フラップ１２ｆの隅部１２ｆＮ，１２ｆＳは以下のように画定され得る。
【００４１】
図２において、上縁１９から左フラップ１２ｆＡの輪郭１２ｆＡｃまでの距離が極大になる点であって、中央領域１２ｔ寄りの点が符号１２ｃＡＮ’で表されている。はじめに、左フラップ１２ｆＡの中央領域１２ｔ寄りの端点１２ｃＡＮと極大点１２ｃＡＮ’とを結ぶ直線ＬＮ０を生成する。次に、直線ＬＮ０に平行な直線であって、左フラップ１２ｆＡの輪郭１２ｆＡｃに接する直線ＬＮ１を生成する。図２において、左フラップ１２ｆＡの輪郭１２ｆＡｃ上の点のうち直線ＬＮ１が接する点が符号ＰＮで示されている。例えば、左フラップ１２ｆＡのうち、このようにして生成された接点ＰＮの近傍の部分を、左フラップ１２ｆＡの中央領域１２ｔ寄りの隅部１２ｆＮとして画定することができる。左フラップ１２ｆＡの左側面板１５Ａ寄りの隅部１２ｆＳについても同様に画定される。すなわち、はじめに、左側面板１５Ａ寄りの端点１２ｃＡＳと極大点１２ｃＡＳ’とを結ぶ直線ＬＳ０を生成し、次に、直線ＬＳ０に平行な直線であって、左フラップ１２ｆＡの輪郭１２ｆＡｃに接点ＰＳで接する直線ＬＳ１を生成する。そして、接点ＰＮの近傍の部分が隅部１２ｆＳとして画定される。右フラップ１２ｆＢについても同様にして、中央領域１２ｔ寄りの隅部１２ｆＮおよび右側面板１５Ｂ寄りの隅部１２ｆＳが画定される。
【００４２】
（押さえ板）
ラップロール９１ｒが外に飛び出すことを防止するために、側面板１５近傍に設けられている固定片１７について説明した。しかしながら、ラップロール９１ｒが外に飛び出すことを防止するための部材が固定片１７に限られることはなく、その他の部材が容器１に設けられていてもよい。例えば図１Ｂおよび図３に示すように、容器１内に延びてラップロール９１ｒに向かって突出する押さえ板３３が容器１に設けられていてもよい。
【００４３】
押さえ板３３は、フラップ１２ｆと同様に、中央領域１２ｔの両側にそれぞれ設けられていてもよい。以下、中央領域１２ｔの左側の押さえ板３３を右押さえ板３３Ａ（第１押さえ板）と称し、中央領域１２ｔの右側の押さえ板３３を左押さえ板３３Ｂ（第２押さえ板）と称することもある。各押さえ板３３Ａ，３３Ｂは、水平方向から見た場合に各フラップ１２ｆＡ，１２ｆＢと少なくとも部分的に重なるよう設けられていてもよい。図２および３においては、水平方向から見た場合に各押さえ板３３Ａ，３３Ｂの全体が各フラップ１２ｆＡ，１２ｆＢと重なるよう各押さえ板３３Ａ，３３Ｂが構成されている例が示されている。
【００４４】
各押さえ板３３Ａ，３３Ｂは、図１Ｂおよび図３に示すように、補強板３１の面内に形成された切目線３３ｃに沿って補強板３１の一部分を切り起こすことによって形成されている。また、各押さえ板３３Ａ，３３Ｂを切り起こすために補強板３１に形成される切目線３３ｃは、補強板３１の上縁、すなわち前面板１２の上縁１９に到達するまで、若しくは上縁１９の近傍まで延びている。この場合、各押さえ板３３Ａ，３３Ｂは、前面板１２の上縁１９を上縁として回動することができる。
【００４５】
容器の製造方法
次に、容器１を製造する方法について説明する。上述のように、容器１は、はじめに１枚の原紙を切り出して板紙を形成し、次に折り曲げなどによって板紙を成形することによって得られる。図４は、容器１を作製するための板紙５０の一例を示す平面図である。
【００４６】
図４に示す板紙５０において、容器１の様々な板や片を構成するための領域が、図１Ａ乃至図３の場合と同一の符号で示されている。また、様々な板や片を折り曲げるために板と板の間または板と片の間に位置する罫線や折目線が、符号１２ｒ，１３ｒ，１５ｒ，１５ｐｒ，１７ｒ，２１ｒ，２２ｊｒ，２５ｒ，３１ｒ，３６ｒ，３７ｒなどで示されている。さらに、様々な部材を切り起こすための切目線が、符号１２ｃＡ，１２ｃＢ，３３ｃ，１７ｒｃなどで示されている。
【００４７】
また前面板１２には、底面板１３に対する前面板１２の角度を固定するために側面板１５（または後述する接合片３７）に接着される接合片３６（第１接合片３６Ａおよび第２接合片３６Ｂ）が、罫線３６ｒを介して連結されている。同様に、後面板１４には、底面板１３に対する後面板１４の角度を固定するために側面板１５（または上述の接合片３６）に接着される接合片３７（第１接合片３７Ａおよび第２接合片３７Ｂ）が、罫線３７ｒを介して連結されている。
【００４８】
図４に示す板紙５０を作製する方法は特に限られることはなく、様々な方法が用いられ得る。例えば、はじめに、１枚の原紙を切り出して、板紙５０の輪郭を整える。次に、または原紙からの切り出しと同時に、各切目線を板紙５０に形成する。その後、板紙５０に対してエンボス加工などを施すことにより、各罫線や凸領域３２（または凹部３２ａ）などを板紙５０に形成する。
【００４９】
板紙５０を成形して容器１を作製する方法は特に限られることはなく、様々な方法が用いられ得る。
【００５０】
次に、上述のようにして製造される容器１の作用について説明する。
【００５１】
ラップフィルム９１ｆを使用する際は、ラップロール９１ｒからラップフィルム９１ｆを必要な長さ分だけ引き出して切断刃２３で切断する。このとき、ラップフィルム９１ｆを必要な長さ分だけ引き出した状態で蓋部２０を閉じ、ラップフィルム９１ｆを前面板１２と蓋前面板２２とで挟み、蓋前面板２２の図心を親指で押さえ、切断刃２３の中央を引き出されたラップフィルム９１ｆに食い込ませるように巻回体入り容器１００を軸線９１ａまわりにひねると、ラッピングする食器等にラップフィルム９１ｆを付けた状態でも切断しやすく、好適である。
【００５２】
ラップフィルム９１ｆは、切断される際、引出方向に張力が掛けられた状態で切断刃２３が入れられる。このため、仮にフラップ１２ｆが軸線方向Ｄにおける前面板１２全体の長さの１／３程度で前面板１２の中央に設けられている場合、蓋部２０を閉じて蓋前面板２２の図心を押したときに、フラップ１２ｆよりも外側の部分において前面板１２と蓋前面板２２との間に隙間ができてしまうことが考えられる。この場合、フラップ１２ｆよりも外側の部分に対応するラップフィルム９１ｆは、引出方向の張力に応じて容器１に対して滑りながら（引き出されながら）切断されることが生じ得る。この結果、ラップフィルム９１ｆの切断線が切断刃２３に対応した切り口にならなくなることが生じ得る。あるいは、仮にフラップ１２ｆが軸線方向Ｄにおける前面板１２全体の長さと略同じ長さで連続して形成されている場合であっても、蓋部２０を閉じて蓋前面板２２の図心を押したときに、フラップ１２ｆの中央部分が押されるのに伴ってフラップ１２ｆの両外側部分も補強板３１に近づくように沈み込んでしまい、ひいては外側部分において前面板１２と蓋前面板２２との間に隙間ができてしまうことが考えられる。この場合、隙間が形成された部分に対応するラップフィルム９１ｆは、引出方向の張力に応じて容器１に対して滑りながら切断されることが生じる。この結果、ラップフィルム９１ｆの切断線が切断刃２３に対応した切り口にならなくなることが生じ得る。
【００５３】
一方、本実施の形態に係る容器１では、フラップ１２ｆが、左フラップ１２ｆＡと右フラップ１２ｆＢとに分かれて中央領域１２ｔの両側にそれぞれ独立して設けられている。このため、蓋部２０を閉じて蓋前面板２２の図心を押したときに、フラップ１２ｆがつられて補強板３１に近づくように沈み込むことを抑制することができる。これによって、引き出されたラップフィルム９１ｆをフラップ１２ｆと蓋前面板２２とで挟むことができ、ラップフィルム９１ｆの切断時の滑りを抑制することができる。さらに、容器１では、フラップ１２ｆの軸線方向Ｄの長さ全体にわたってストッパー１２ｓが形成されているので、フラップ１２ｆと蓋前面板２２とで挟まれたラップフィルム９１ｆの引出方向への移動（滑り）を止めることができる。このことにより、より適切にラップフィルム９１ｆを切断することができる。
【００５４】
なお本実施の形態においては、上述のように、フラップ１２ｆは、その中央部分が両端部分よりも上縁１９側に凹んでいる。このため、フラップ１２ｆの輪郭１２ｆＡｃは、容器１の端部から容器１の中央部分に向かって直線的に延びる切断刃２３に対して非平行なものとなっている。このため、フラップが切断刃２３と平行に延びている場合に比べて、ラップフィルム９１ｆを必要量だけ引き出した後に蓋部２０を閉じる際にラップフィルム９１ｆと蓋部２０の蓋前面板２２との間に発生する摩擦力を小さくすることができる。このことにより、フラップ１２ｆによってラップフィルム９１ｆを適切に支持することと、蓋部２０の閉まり易さとを同時に実現することができる。
【００５５】
切断された後にフラップ１２ｆと蓋前面板２２との間に挟まれているラップフィルム９１ｆは、ストッパー１２ｓに付着しているため、ラップロール９１ｒへの巻き戻りが防止される。また、次回ラップフィルム９１ｆを使用する際に、蓋部２０を開けると、フラップ１２ｆが本体部１０の外側に浮いている。このため、フラップ１２ｆに形成されたストッパー１２ｓに付着しているラップフィルム９１ｆの先端もフラップ１２ｆの外側の前面板１２から浮いており、摘みやすい。特に本実施の形態の容器１においては、中央領域１２ｔにフラップ１２ｆが形成されていないので、中央領域１２ｔとラップフィルム９１ｆとの間に隙間が形成されており、このため、この隙間に指を入れることで容易にラップフィルム９１ｆを摘むことができる。
【００５６】
上述のように、巻回体入り容器１００によれば、ラップフィルム９１ｆを切断する際に、フラップ１２ｆと蓋前面板２２とでラップフィルム９１ｆを挟むことができる。このため、中央領域１２ｔの外側においてもラップフィルム９１ｆの引出方向への移動（滑り）を止めることができ、これによって、ラップフィルム９１ｆを適切に切断することができる。
【００５７】
また本実施の形態によれば、容器１には、ラップロール９１ｒが外に飛び出すことを防止するための押さえ板３３が設けられている。押さえ板３３は、補強板３１の一部分を切り起こすことにより形成されている。また押さえ板３３は、フラップ１２ｆと同様に、前面板１２の上縁１９を回転軸として回動することができる。このため、ラップフィルム９１ｆを切断するために蓋前面板２２の図心を押すとき、上縁１９を回転軸としてフラップ１２ｆを容器１の内側へ向けて回動させ、同時に上縁１９を回転軸として押さえ板３３を容器１の内側へ向けて回動させることができる。すなわち、フラップ１２ｆと押さえ板３３とが共通の回転軸を有することにより、フラップ１２ｆと押さえ板３３とを連動させることができる。これによって、フラップ１２ｆと蓋前面板２２との間でラップフィルム９１ｆを挟むことと、押さえ板３３をラップロール９１ｒに向けて突出させることとを同時に実現することができる。このことにより、ラップフィルム９１ｆを切断する際にラップロール９１ｒが外に飛び出すことをより確実に防止することができる。なお上述のように、水平方向から見た場合に各押さえ板３３Ａ，３３Ｂの全体が各フラップ１２ｆＡ，１２ｆＢと重なるよう各押さえ板３３Ａ，３３Ｂを構成することにより、フラップ１２ｆと押さえ板３３との連動の程度をより高くすることができる。
【００５８】
ところで、上述のようにフラップ１２ｆと押さえ板３３とが連動する場合、フラップ１２ｆが補強板３１に向かって回動し易くなると考えられる。なぜなら、フラップ１２ｆが補強板３１に接近するよう上縁１９を回転軸としてフラップ１２ｆを回動させる際に、補強板３１からフラップ１２ｆに対して働く弾性的な抵抗力が、押さえ板３３が回動することによって緩和されるからである。フラップ１２ｆが補強板３１に向かって回動し易いということは、前面板１２の切目線１２ｃＡ，１２ｃＢにフラップ１２ｆが接近し易くなっていることを意味している。このような場合であっても、本実施の形態によれば、補強板３１の外面には、上述のように、フラップ１２ｆの内面に向かい合う凸領域３２が形成されている。このため、凸領域３２の凸部３２ａがフラップ１２ｆの内面に当接することにより、フラップ１２ｆが前面板１２に嵌まり込むことを防ぐことができる。このため本実施の形態によれば、フラップ１２ｆによってラップフィルム９１ｆの切断性を向上させることと、押さえ板３３によってラップロール９１ｒの飛び出しを防止することとを同時に実現することができる。
【００５９】
なお本実施の形態において、補強板３１に形成されている凸領域３２が、フラップ１２ｆの内面に対向するよう構成された５つの凸部３２ａを含む例を示した。しかしながら、凸領域３２の具体的な形態は特に限られることはない。例えば凸領域３２は、４つ以下の凸部３２ａを含んでいてもよく、若しくは、６つ以上の凸部３２ａを含んでいてもよい。いずれの場合においても、凸領域３２は、好ましくは、フラップ１２ｆの隅部１２ｆＮ，１２ｆＳに対応する部分に形成された凸部３２ａを含んでいる。これによって、フラップ１２ｆが前面板１２に嵌まり込むことを効果的に防ぐことができる。
【００６０】
また図５に示すように、凸領域３２は、フラップ１２ｆに対応して容器１の長手方向に延びる１つの凸部３２ａから構成されていてもよい。なお、板紙５０上に凸部３２ａを形成するためのエンボス加工は、一般には、フラップ１２ｆのための切目線１２ｃＡ，１２ｃＢや押さえ板３３のための切目線３３ｃなどの切目線を板紙５０上に形成した後に実施される。切目線は、例えばミシン目として構成されている。その後、板紙５０を罫線や折目線に沿って折り曲げることにより、容器１が作製される。ここで、凸部３２ａ１つ当りの寸法が大きいと、板紙５０上に凸部３２ａを形成するためのエンボス加工を実施する際に、板紙５０上に既に形成されている切目線、例えば切目線３３ｃが破断してしまうことが考えられる。エンボス加工の際に切目線が破断してしまうと、切目線に沿って部材が切り起こされてしまい、この結果、その後の折り曲げ工程が阻害されてしまうことが考えられる。従って、エンボス加工の工程やその後の折り曲げ工程を考慮すると、凸部３２ａ１つ当りの寸法が小さいことが好ましい。すなわち、図３に示すように凸領域３２が複数の凸部３２ａを含むことが好ましい。
【００６１】
また本実施の形態において、フラップ１２ｆの輪郭１２ｆＡｃ，１２ｆＢｃが、全域にわたって、フラップ１２ｆが切り起こされた後の前面板１２に沿って延びている例を示した。すなわち、フラップ１２ｆの輪郭１２ｆＡｃ，１２ｆＢｃと、フラップ１２ｆが切り起こされた後の前面板１２に残っている切目線１２ｃＡ，１２ｃＢとが一致している例を示した。しかしながら、図６に示すように、フラップ１２ｆの輪郭１２ｆＡｃ，１２ｆＢｃと、フラップ１２ｆが切り起こされた後の前面板１２に残っている切目線１２ｃＡ，１２ｃＢとが一致していなくてもよい。図６に示すような前面板１２の切目線１２ｃＡ，１２ｃＢは、フラップ１２ｆに加えて、フラップ１２ｆに隣接したその他の部分を前面板１２から切り抜くことによって実現され得る。このようにフラップ１２ｆの輪郭１２ｆＡｃ，１２ｆＢｃと前面板１２の輪郭とを部分的に不一致にすることにより、フラップ１２ｆが前面板１２に嵌まり込む可能性を低減することができる。なお、図６に示す形態においては、図２に示す形態に比べて、前面板１２の一部分を余分に切り抜くことにより、補強板３１がより多く外方に露出されることになる。このため、意匠性を考慮すると、図２に示すようにフラップ１２ｆの輪郭１２ｆＡｃ，１２ｆＢｃと前面板１２の輪郭とが一致していることが好ましい。
【００６２】
また本実施の形態において、前面板１２の輪郭１２ｆＡｃ，１２ｆＢｃが滑らかな曲線状の形状を有する例を示した。しかしながら、図７に示すように、前面板１２の輪郭１２ｆＡｃ，１２ｆＢｃは、直線的に延びる部分を有していてもよい。この場合、フラップ１２ｆの隅部１２ｆＮ，１２ｆＳは、フラップ１２ｆのうち曲線的に延びる部分と直線的に延びる部分との間の境界に対応する部分として画定される。
【００６３】
また本実施の形態および変形例において、フラップ１２ｆが前面板１２に嵌まり込むことを防ぐための凸領域３２が、補強板３１の外面に形成されている例を示した。しかしながら、これに限られることはなく、フラップ１２ｆの内面に、蓋部２０が本体部１０の開口を塞いでいるときに補強板３１の外面と向かい合う凸領域（図示せず）が形成されていてもよい。本実施の形態および変形例の場合と同様に、フラップ１２ｆの内面に形成されている凸領域も、フラップ１２ｆの内面から容器１の内側に向かって突出した凸部を含んでいる。このため、フラップ１２ｆが前面板１２に嵌まり込むことを防ぐことができる。好ましくは、フラップ１２ｆの内面に形成されている凸領域は、フラップ１２ｆの内面のうちフラップ１２ｆの隅部１２ｆＮ，１２ｆＳに少なくとも形成されている。これによって、フラップ１２ｆが前面板１２に嵌まり込むことを効果的に防ぐことができる。
【００６４】
なお上述の形態において、容器１に収容される巻回体が、ラップフィルム９１ｆが巻かれたラップロール９１ｒである例を示した。しかしながら、容器１に収容される巻回体の例がラップロール９１ｒに限られることはない。例えば容器１は、アルミシートやクッキングシートからなる巻回体を収容するために用いられてもよい。
【符号の説明】
【００６５】
１  容器
１０  本体部
１２  前面板
１２ｆ  フラップ
２０  蓋部
３１  補強板
３２  凸領域
３３  押さえ板
１００  巻回体入り容器
【図１Ａ】
0005963520.tif 000002
【図１Ｂ】
0005963520.tif 000003
【図１Ｃ】
0005963520.tif 000004
【図２】
0005963520.tif 000005
【図３】
0005963520.tif 000006
【図４】
0005963520.tif 000007
【図５】
0005963520.tif 000008
【図６】
0005963520.tif 000009
【図７】
0005963520.tif 000010